(57)【特許請求の範囲】
【請求項１】
長尺な中間転写シートが支持された支持フレームを、プリンタ本体に対して挿入および引き出し可能に配設し、前記支持フレームの近傍に、前記中間転写シートへのインクリボンのインクの中間転写の際に前記中間転写シートを外周に所定角度で巻回させて保持するためのプラテンローラを設け、前記プリンタ本体に、前記中間転写の際に前記中間転写シートに対して前記プラテンローラの外周に巻回する方向へのテンションを付与するとともに前記支持フレームの挿入あるいは引き出しの際に前記中間転写シートとの係合を解除するテンションレバーを配設し、
かつ、前記支持フレームに、前記中間転写シートをこの中間転写シートと前記プラテンローラとの巻回が解除されるシート解除位置に移動させるための解除レバーを設け、この解除レバーが前記中間転写シートを前記シート解除位置に移動させることによって前記プリンタ本体に対する支持フレームの挿入および引き出しを許容するようにし、
さらに、前記テンションレバーによる前記中間転写シートに対するテンションの付与に連動して前記解除レバーを前記中間転写シートとの係合が解除される位置へ退避させるとともに、前記テンションレバーによる前記中間転写シートからの係合の解除に連動して前記解除レバーを前記シート解除位置へ移動させるための連動機構を設けたこと
を特徴とする中間転写装置。
【請求項２】
長尺な中間転写シートが支持された支持フレームをプリンタ本体に対して挿入および引き出し可能に配設し、前記支持フレームの近傍に、前記中間転写シートへのインクリボンのインクの中間転写の際に前記中間転写シートを外周に巻回させて保持するためのプラテンローラを設け、前記プリンタ本体に、前記中間転写の際に前記中間転写シートに対して前記プラテンローラの外周に巻回する方向へのテンションを付与するとともに、前記支持フレームの挿入あるいは引き出しの際に前記中間転写シートとの係合を解除するテンションレバーを配設し、
かつ、前記支持フレームに、前記中間転写シートをこの中間転写シートと前記プラテンローラとの巻回が解除されるシート解除位置に移動させるための解除レバーを設け、この解除レバーが前記中間転写シートを前記シート解除位置に移動させることによって前記プリンタ本体に対する支持フレームの挿入および引き出しを許容するようにし、
さらに、前記テンションレバーによる前記中間転写シートに対するテンションの付与に連動して前記解除レバーを前記中間転写シートとの係合が解除される位置へ退避させるとともに、前記テンションレバーによる前記中間転写シートからの係合の解除に連動して前記解除レバーを前記シート解除位置へ移動させるための連動機構を設けたこと
を特徴とする中間転写装置を有するプリンタ。
【発明の詳細な説明】
【０００１】
【産業上の利用分野】
本発明は、中間転写装置およびこれを有するプリンタに係り、特に、長尺な中間転写シートが支持された支持フレームをプリンタ本体に対して挿入および引き出し可能に配設した中間転写装置およびこれを有するプリンタに関する。
【０００２】
【従来の技術】
従来から、長尺なフィルム上に所定のインク層が形成されたインクリボン１を用いた画像記録の際には、高品位な画像を形成する観点から、インクリボン１のインクを被記録物２上に直接圧接させた状態で記録を行うのではなく、図８に示すようにサーマルヘッドのようなプリントヘッド４５を用いてインクリボン１による記録を一端中間転写シート３上に形成した後、この中間転写シート３に形成された中間転写画像４を被記録物２上に転写する中間転写方式が採用されていた。
【０００３】
【発明が解決しようとする課題】
ところで、このような中間転写シート３を用いたプリンタにおいては、プリンタへの中間転写シート３の装着あるいは交換等の作業性を向上する観点から、プリンタ本体への中間転写シートの着脱を簡易に行うことが求められている。
【０００４】
本発明は、このような課題点に鑑みなされたもので、プリンタに対する中間転写シートの着脱を容易に行うことによって作業性を向上することができる中間転写装置およびこれを有するプリンタを提供することを目的とするものである。
【０００５】
【課題を解決するための手段】
前記目的を達成するため本発明に係る中間転写装置の特徴は、長尺な中間転写シートが支持された支持フレームを、プリンタ本体に対して挿入および引き出し可能に配設し、前記支持フレームの近傍に、前記中間転写シートへのインクリボンのインクの中間転写の際に前記中間転写シートを外周に所定角度で巻回させて保持するためのプラテンローラを設け、前記プリンタ本体に、前記中間転写の際に前記中間転写シートに対して前記プラテンローラの外周に巻回する方向へのテンションを付与するとともに前記支持フレームの挿入あるいは引き出しの際に前記中間転写シートとの係合を解除するテンションレバーを配設し、かつ、前記支持フレームに、前記中間転写シートをこの中間転写シートと前記プラテンローラとの巻回が解除されるシート解除位置に移動させるための解除レバーを設け、この解除レバーが前記中間転写シートを前記シート解除位置に移動させることによって前記プリンタ本体に対する支持フレームの挿入および引き出しを許容するようにし、さらに、前記テンションレバーによる前記中間転写シートに対するテンションの付与に連動して前記解除レバーを前記中間転写シートとの係合が解除される位置へ退避させるとともに、前記テンションレバーによる前記中間転写シートからの係合の解除に連動して前記解除レバーを前記シート解除位置へ移動させるための連動機構を設けた点にある。
【０００６】
そして、このような構成を採用したことにより、プリンタ本体に対する支持フレームの挿入あるいは引き出しの際に、前記テンションレバーを中間転写シートとの係合が解除される位置へ移動させることができるため、プリンタ本体に対する中間転写シートの着脱を容易に行うことができる。また、プリンタ本体に対する支持フレームの挿入あるいは引き出しの際に、前記解除レバーによって中間転写シートをプラテンローラとの巻回が解除されるシート解除位置へ移動させることができるため、プリンタ本体に対する中間転写シートの着脱を容易に行うことができる。さらに、前記連動機構によって前記テンションレバーの動作に連動して前記解除レバーの移動を行うことができるため、この解除レバーの移動を行うための特別な操作手段を別途設ける必要がなく、作業性をさらに向上させることができる。
【００１１】
さらにまた、本発明に係る中間転写装置を有するプリンタの特徴は、長尺な中間転写シートが支持された支持フレームをプリンタ本体に対して挿入および引き出し可能に配設し、前記支持フレームの近傍に、前記中間転写シートへのインクリボンのインクの中間転写の際に前記中間転写シートを外周に巻回させて保持するためのプラテンローラを設け、前記プリンタ本体に、前記中間転写の際に前記中間転写シートに対して前記プラテンローラの外周に巻回する方向へのテンションを付与するとともに、前記支持フレームの挿入あるいは引き出しの際に前記中間転写シートとの係合を解除するテンションレバーを配設し、かつ、前記支持フレームに、前記中間転写シートをこの中間転写シートと前記プラテンローラとの巻回が解除されるシート解除位置に移動させるための解除レバーを設け、この解除レバーが前記中間転写シートを前記シート解除位置に移動させることによって前記プリンタ本体に対する支持フレームの挿入および引き出しを許容するようにし、さらに、前記テンションレバーによる前記中間転写シートに対するテンションの付与に連動して前記解除レバーを前記中間転写シートとの係合が解除される位置へ退避させるとともに、前記テンションレバーによる前記中間転写シートからの係合の解除に連動して前記解除レバーを前記シート解除位置へ移動させるための連動機構を設けた点にある。
【００１２】
そして、このような構成を採用したことにより、プリンタ本体に対する支持フレームの挿入あるいは引き出しの際に、前記解除レバーによって中間転写シートをプラテンローラとの巻回が解除されるシート解除位置へ移動させることができるため、プリンタ本体に対する中間転写シートの着脱を容易に行うことができる。また、前記連動機構によって前記テンションレバーの動作に連動して前記解除レバーの移動を行うことができるため、この解除レバーの移動を行うための特別な操作手段を別途設ける必要がなく、作業性をさらに向上させることができる。
【００１５】
【発明の実施の形態】
以下、本発明に係る中間転写装置およびこれを有するプリンタの実施形態について、図１乃至図７を参照して説明する。
【００１６】
図１に示すように、本実施形態における中間転写装置７を有するプリンタ８は、箱状のフレーム１０を有しており、このフレーム１０のほぼ中央には、中間転写シート３に対する中間転写を保持するためのプラテンローラ１１が回転自在に支持されている。
【００１７】
そして、前記フレーム１０の前記プラテンローラ１１に近傍する位置には、長尺な中間転写シート３が支持された支持フレーム１２が配設されている。
【００１８】
この支持フレーム１２は、平面略長方形状の板状の基部１３を有しており、この基部１３の図１における左右の両端部には、板状の一対のコア支持部１４ａ，１４ｂが上方に突出するように配設されている。これらコア支持部１４ａ，１４ｂの互いに対向する位置には、前後に所定の間隔を設けて円弧状の切り欠き部１５が２個ずつ形成されており、これらの切り欠き部１５には、長尺な中間転写シート３をそれぞれ両端から巻回収容した図７に示す一対のコア９が載置されるようになっている。従って、前記支持フレーム１２によって前記中間転写シート３を下方から支持することができるようになっている。
【００１９】
前記両コア支持部１４ａ，１４ｂの間であって、前後の両端部に対応する位置には、中間転写シート３の走行経路を保持するための一対のガイドローラ１７が回転自在に支持されている。
【００２０】
前記コア支持部１４ａ，１４ｂのうち、図１において右側のコア支持部１４ａの外側面には、側面形状が略コの字状とされたサイドフレーム１８が取り付けられている。このサイドフレーム１８には、前記支持フレーム１２をプリンタ８に対して摺動自在に保持するための一対の摺動軸１９が、プリンタ８の内部側に向けて水平に取り付けられており、これら摺動軸１９は、プリンタ本体に配設された図２に示す一対の軸受け２０にそれぞれ保持されるようになっている。
【００２１】
従って、前記摺動軸１９によって前記支持フレーム１２を摺動させつつ、この支持フレーム１２に支持された前記中間転写シート３をプリンタ本体に対して挿入あるいは引き出すことができるようになっている。
【００２２】
さらに、前記サイドフレーム１８側のコア支持部１４ａの外側には、前記支持フレーム１２をプリンタ本体の外部に引き出すための把持部２２が形成されており、支持フレーム１２のプリンタ本体からの引き出しを容易ならしめるようになっている。
【００２３】
また、図２に示すように、前記サイドフレーム１８には、中間転写シート３の走行経路を保持するための複数のガイドローラ１７が、プリンタ本体の内部に突出するように形成されている。
【００２４】
前記サイドフレーム１８の前記プラテンローラ１１に対応する位置には、前記プラテンローラ１１の軸方向に沿って長尺とされた解除レバー２３が、プリンタ内部に向けて突出するように形成されており、この解除レバー２３によって、プリンタ本体に対する支持フレーム１２の挿入あるいは引き出しの際に、中間転写シート３とプラテンローラ１１との巻回を解除するようになっている。
【００２５】
すなわち、前記解除レバー２３は、そのサイドフレーム１８側の端部となる基端部を、回動部材２４によって図３における時計方向および反時計方向に回動可能に支持されている。
【００２６】
従って、前記解除レバー２３は、図３および図４に示すように、中間転写シート３を外周に巻回した状態で図３における時計方向へ回動することにより、前記プラテンローラ１１に対する前記中間転写シート３の巻回を解除することができるようになっている。一方、前記解除レバー２３は、中間転写の際には、図５および図６に示すように図５における反時計方向へ回動することによって中間転写シート３との係合を解除するようになっている。
【００２７】
このため、前記解除レバー２３によってプラテンローラ１１と中間転写シート３との巻回を解除することにより、支持フレーム１２のプリンタ本体に対する挿入および引き出しを円滑に行うことができ、ひいては中間転写シート３のプリンタ８への着脱を容易に行うことができるようになっている。
【００２８】
一方、前記プリンタ本体の、前記プラテンローラ１１の図３における下部近傍位置には、テンションレバーとしての第１テンションレバー２６が前記プラテンローラ１１に平行に配設されており、この第１テンションレバー２６によって中間転写の際に前記中間転写シート３に対して前記プラテンローラ１１の外周に巻回する方向へのテンションを付与するようになっている。
【００２９】
すなわち、前記第１テンションレバー２６は、第１回動支持部２７によって図３における上下方向に回動可能に支持されており、この第１回動支持部２７の回動動作にともなって前記プラテンローラ１１に対して接離可能とされている。
【００３０】
従って、前記第１テンションレバー２６は、図５および図６に示すように、中間転写シート３を外周に巻回した状態で前記プラテンローラ１１への近傍位置となる上方へ回動することによって前記中間転写シート３に対して前記プラテンローラ１１の外周に所定角度で巻回する方向へのテンションを付与することができるようになっている。一方、前記第１テンションレバー２６は、図３および図４に示すように、前記プラテンローラ１１からの離間位置となる下方へ回動することによって前記中間転写シート３との係合を解除するようになっている。
【００３１】
前記第１回動支持部２７には、例えばアーム部等の伝達機構２８を介して前記第１テンションレバー２６を手動で操作するための、摘み部２９を有する操作レバー３０が連結されている。この操作レバー３０は、一端部を図３における上下方向に回動可能に支持されており、回動動作によって前記第１テンションレバー２６を前記プラテンローラ１１に対して接離させることができるようになっている。
【００３２】
前記操作レバー３０には、この操作レバー３０による回動動作に連動して、図３における上下方向へ往復動を行う摺動機構３１が、プラテンローラ１１の軸方向に沿って長尺とされたシャフト３２を介して連結されており、この摺動機構３１の図３における上端部には、図３における横方向に長尺な長孔状のカム溝３３が形成されている。
【００３３】
前記カム溝３３には、前記摺動機構３１による図３における上下方向への往復動にともなって回転軸３４を支点とした図３における時計方向または反時計方向への回転動作を行う側面形状が略くの字形状とされたカム３５が、その基端部に形成されたカムフォロ３５ａを介して連結されている。前記カム３５の先端部は、円弧状に形成されており、この先端部の外周面には、周方向にわたってギア３５ｂが形成されている。
【００３４】
前記カム３５の図３における左方近傍位置には、前記プラテンローラ１１の軸方向に沿って長尺とされたテンションレバーとしての第２テンションレバー３６が配設されており、この第２テンションレバー３６によって中間転写の際に前記中間転写シート３に対して前記プラテンローラ１１の外周に所定角度で巻回する方向へのテンションを付与するようになっている。
【００３５】
すなわち、前記第２テンションレバー３６は、第２回動支持部３７によって図３における左右に回動可能に支持されている。
【００３６】
従って、前記第２テンションレバー３６は、図５に示すように、中間転写シート３を外周に巻回した状態で図５における右方へ回動することによって前記中間転写シート３に対して前記プラテンローラ１１の外周に巻回する方向へのテンションを付与することができるようになっている。一方、前記第２テンションレバー３６は、図３に示すように、図３における左方へ回動することによって前記中間転写シート３との係合を解除するようになっている。
【００３７】
前記第２回動支持部３７の前記カム３５に対応する位置には、図示しない円盤状のカムギアが形成されており、このカムギアには、前記カム３５の先端部のギア３５ｂが噛合されている。このため、前記カム３５の回転動作にともなって、前記第２テンションレバー３６の回動を行うことができるようになっている。
【００３８】
従って、前記操作レバー３０の操作により、前記第１テンションレバー２６と前記第２テンションレバー３６とを連動させることができるようになっている。
【００３９】
そして、本実施形態におけるプリンタ８は、前記解除レバー２３を前記テンションレバー２６，３６に連動させるための連動機構３８を有している。
【００４０】
前記連動機構３８は、図３における上下方向へ長尺とされた連動板４４を有しており、この連動板４４は、操作レバー３０に形成されたカム溝３１ａを介して前記操作レバー３０に連動可能とされている。すなわち、前記連動板４４は、前記操作レバー３０の回動にともなって前記摺動機構３１と同方向となる図３における上下方向へ往復動を行うことができるようになっている。
【００４１】
前記連動板４４の図３における左端部には、図３における左方に突出した板状のカム取付け板３９が配設されており、このカム取付け板３９には、図３における横方向に長尺な長孔状の連動用カム溝４０が形成されている。
【００４２】
前記支持フレーム１２のサイドフレーム１８であって、前記連動用カム溝４０に対応する内側面には、前記連動板４４による図３における上下方向への往復動を図３における時計方向および反時計方向への回転動作に変換する連動カム４１が、回転軸４２を支点として回転自在に支持されている。この連動カム４１の基端部には、ピン状のカムフォロワ４３がプリンタ内部に突出するように形成されており、このカムフォロワ４３は、前記支持フレーム１２をプリンタ内部に挿入した際に、前記連動用カム溝４０に挿入されて係合されるようになっている。前記連動カム４１の先端部は、扇状に形成されており、その外周面には、ギア４１ａが形成されている。
【００４３】
前記サイドフレーム１８の内側面であって、前記連動カム４１の近傍位置には、前記回動部材２４が配設されている。この回動部材２４の回動軸２４ａの外周面には、ギア２４ｂが形成されており、このギア２４ｂには、前記連動カム４１のギア４１ａが噛合されている。このため、前記連動カム４１の回転動作を前記回動部材２４に伝達することができるようになっている。
【００４４】
従って、前記支持フレーム１２をプリンタ本体へ挿入し、前記連動カム４１と前記連動板４４とを係合させた状態において、操作レバー３０の回動動作を前記第１テンションレバー２６および第２テンションレバー３６および前記解除レバー２３に伝達することができる。
【００４５】
すなわち、本実施形態においては、連動機構３８によって前記操作レバー３０の回動動作を前記解除レバー２３による回動動作に変換することができるため、前記第１および第２テンションレバー２６，３６による中間転写シート３に対するテンションの付与と、前記解除レバー２３と中間転写シート３との係合の解除とを連動させることができるようになっている。また、前記連動機構３８によって第１および第２テンションレバー２６，３６による中間シート３からの係合の解除と、前記解除レバー２３による中間転写シート３のシート解除位置への移動とを連動させることができるようになっている。
【００４６】
図７に示すように、前記プラテンローラ１１の右方の対峙位置には、このプラテンローラ１１に巻回された中間転写シート３に対して、所望の中間転写記録を行うプリントヘッド４５が前記プラテンローラ１１に対して接離可能に配設されており、このプリントヘッド４５と前記プラテンローラ１１との間には、一対のリボンコア４６に巻回されたインクリボン１が引き出されるようになっている。
【００４７】
また、プリンタ本体の底部には、前記中間転写シート３に記録された中間転写画像を最終的に記録する例えばＣＤ等の被記録物２が載置されるための載置トレイ４７がプリンタ本体外部に引き出し可能に配設されている。
【００４８】
前記載置トレイ４７の上部近傍には、プリントヘッド４５によって中間転写画像が形成された中間転写シート３が、支持フレーム１２のガイドローラ１７やプリンタ本体に配設されたガイドローラ１７ａを介してほぼ水平に位置されるようになっている。
【００４９】
これら複数のガイドローラ１７，１７ａによって形成された中間転写シート３の走行経路の上部近傍位置には、この中間転写シート３上の中間転写画像を前記被記録物２に転写するためのヒートローラ４８が、例えばカム機構等の図示しない移動手段によって前記被記録物２に対して接離可能に配設されている。
【００５０】
次に、本実施形態の作用について説明する。
【００５１】
まず、初期状態において、前記支持フレーム１２は、前記プリンタ本体から外部に引き出された状態になっており、前記中間転写シート３は、この支持フレーム１２に形成されたガイドローラ１７によって図３、図４に示す走行経路を保持しているものとする。また、図３、図４に示すように、前記解除レバー２３は前記回動部材２４とともに時計方向に回動された状態になっているものとし、中間転写シート３は、前記解除レバー２３によってプラテンローラ１１との係合を行わないシート解除位置に退避されているものとする。
【００５２】
また、このとき、プリンタ本体の前記操作レバー３０は、時計方向に回動された状態になっており、前記第１テンションレバー２６および前記第２テンションレバー３６は、中間転写シート３との係合を解除する位置に退避されているものとする。
【００５３】
そして、初期状態から、前記支持フレーム１２のプリンタ本体への挿入すなわちプリンタ８への中間転写シート３の装着を行う場合は、前記支持フレーム１２を前記摺動軸１９に沿ってプリンタ内部側に手動で押動する。
【００５４】
このとき、前記中間転写シート３は、前記解除レバー２３によってプラテンローラ１１との係合を解除するシート解除位置に退避されているため、支持フレーム１２のプリンタ本体への挿入を円滑に行うことができる。
【００５５】
なお、前記支持フレーム１２のプリンタ本体への挿入の際に、前記摺動機構３１の連動用カム溝４０には前記支持フレーム１２の連動カム４１のカムフォロワ４３が係合され、連動板４４と前記連動カム４１との動力伝達経路が形成される。
【００５６】
そして、前記支持フレーム１２のプリンタ本体への挿入後、前記プリンタ８による記録動作を行う場合は、前記操作レバー３０を図３に示す反時計方向に回動させる。
【００５７】
このとき、前記操作レバー３０に連結された前記第１回動支持部２７は、この操作レバー３０による反時計方向への回動にともなって図３における上方へ回動する。これにより、この第１回動支持部２７に支持された前記第１テンションレバー２６は、上部近傍に位置された中間転写シート３を外周に巻回させつつ、この中間転写シート３を上方へ移動させる。これにより、前記プラテンローラ１１の下流側の中間転写シート３に対して、前記プラテンローラ１１の外周に巻回する方向へのテンションが付与される。
【００５８】
また、このとき、前記操作レバー３０の図３における反時計方向への回動にともなって、この操作レバー３０に連結された前記摺動機構３１は図３における下方向に移動する。この摺動機構３１の下方向への摺動にともなって、この摺動機構３１に連結された前記カム３５は図３における時計方向への回転を行う。このカム３５の時計方向への回転にともなって、このカム３５に連結された前記第２回動支持部３７は、図３における反時計方向への回動を行う。これにより、前記第２回動支持部３７は、図３における右側近傍に位置された中間転写シート３を外周に巻回させるとともに、この中間転写シート３を右方に移動させる。
【００５９】
この結果、前記プラテンローラ１１の上流側の中間転写シート３に対して、前記プラテンローラ１１の外周に巻回する方向へのテンションが付与される。
【００６０】
さらに、前記操作レバー３０の反時計方向への回動にともなって、前記連動板４４は、前記摺動機構３１の移動方向と同方向となる下方への移動を行い、この連動板４４の移動にともなって、この連動板４４に連結された前記連動カム３５は、図３における時計方向への回転を行う。この連動カム３５の回転により、この連動カム３５に前記ギア２４ｂを介して連結された前記回動部材２４は、図３における反時計方向への回動を行う。これにより、回動部材２４に支持された解除レバー２３は、図５および図６に示すように中間転写シート３との係合を解除する位置に移動する。
【００６１】
これにより、前記中間転写シート３をプラテンローラ１１の外周にテンションを付与しつつ巻回させることができ、中間転写の準備が完了する。
【００６２】
このとき、前述したように、前記操作レバー３０の回動にともなって前記解除レバー２３、前記第１テンションレバー２６ならびに前記第２テンションレバー３６を連動させることができるため、作業性を向上することができる。
【００６３】
この後、前記中間転写シート３を用いた中間転写記録を行う場合は、前記中間転写シート３が巻回されたプラテンローラ１１上に、インクリボン１を介してプリントヘッド４５を圧接させた状態で、前記中間転写シート３および前記インクリボン１をそれぞれ巻き取り駆動しながら前記プリントヘッド４５を駆動することにより、前記中間転写シート３上に、前記インクリボン１のインクからなる所望の中間転写画像４を記録する。
【００６４】
そして、前記中間転写画像４が記録された中間転写シートをさらに下流側に搬送し、前記載置トレイ４７上の被記録物２の位置において前記中間転写シート３を前記ヒートローラ４８によって前記被記録物２上に圧接させる。このとき、前記ヒートローラ４８を発熱駆動することによって前記中間転写シート３上の中間転写画像４を再溶融させ、被記録物２に画像を転写する。
【００６５】
次に、前記被記録物２への中間転写画像４の記録の後、前記中間転写シート３の交換等のために前記支持フレーム１２をプリンタ本体から引き出す場合は、図５および図６に示す状態から前記操作レバー３０を図５における時計方向に回動させることにより、前記解除レバー２３、第１テンションレバー２６および前記第２テンションレバー３６を連動させるようにして前記中間転写シート３と前記プラテンローラ１１との係合を解除する。これにより、前記支持フレーム１２のプリンタ本体からの引き出しが許容される。
【００６６】
したがって、本実施形態によれば、前記中間転写シート３を前記プラテンローラ１１との係合が解除されるシート解除位置に移動させる解除レバー２３を設けたことにより、プリンタ本体に対する支持フレーム１２の挿入あるいは引き出しの際に、前記解除レバー２３によって中間転写シート３をプラテンローラ１１との巻回が解除されるシート解除位置へ移動させることができるため、プリンタ本体に対する中間転写シートの着脱を容易に行うことができる。
【００６７】
また、前記テンションレバー２６，３６による前記中間転写シート３に対するテンションの付与に連動して前記解除レバー２３を前記中間転写シート３との係合が解除される位置へ移動させるとともに、前記テンションレバー２６，３６による前記中間転写シート３からの係合の解除に連動して前記解除レバー２３を前記シート解除位置へ移動させるための連動機構３８を設けたことにより、前記テンションレバー２６，３６の動作に連動して前記解除レバー２３の移動を行うことができるため、この解除レバー２３の移動を行うための特別な操作手段を別途設ける必要がなく、作業性をさらに向上させることができる。
【００６８】
なお、本発明は前記実施形態のものに限定されるものではなく、必要に応じて種々変更することが可能である。
【００６９】
【発明の効果】
以上述べたように、本発明に係る中間転写装置およびこれを有するプリンタによれば、プリンタ本体に対する中間転写シートの着脱を容易に行うことができ、作業性を向上することができる。
【００７０】
また、本発明に係る中間転写装置およびこれを有するプリンタによれば、さらに作業性を向上することができる。
【図面の簡単な説明】
【図１】  本発明に係る中間転写装置の実施形態において、前記中間転写装置を組み込んだプリンタの一部の構成を示す斜視図
【図２】  本発明に係る中間転写装置の一部の構成を示した分解斜視図
【図３】  本発明に係る中間転写装置の実施形態において、支持フレームのプリンタ本体への挿入あるいは引き出しの際における解除レバーおよびテンションレバーの動作状態を示した概略側面図
【図４】  本発明に係る中間転写装置の実施形態において、支持フレームのプリンタ本体への挿入あるいは引き出しの際における解除レバーおよびテンションレバーの動作状態を示した図３の斜視図
【図５】  本発明に係る中間転写装置の実施形態において、中間転写すなわち記録動作時における解除レバーおよびテンションレバーの動作状態を示した概略側面図
【図６】  本発明に係る中間転写装置の実施形態において、中間転写すなわち記録動作時における解除レバーおよびテンションレバーの動作状態を示した図５の斜視図
【図７】  本発明に係る中間転写装置を有するプリンタの実施形態を示す概略側面透視図
【図８】  従来から採用されていた中間転写方式の記録の一例を示した概略図
【符号の説明】
３  中間転写シート
８  プリンタ
１２  支持フレーム
２３  解除レバー
２４  回動部材
２６  第１テンションレバー
２７  第１回動支持部
２８  伝達機構
３０  操作レバー
３１  摺動機構
３２  シャフト
３６  第２テンションレバー
３７  第２回動支持部
３８  連動機構
３９  カム取付け板
４０  連動用カム溝
４１  連動カム
４２  回転軸
４３  カムフォロワ
４４  連動板
【図１】
0004028696.tif 000002
【図２】
0004028696.tif 000003
【図３】
0004028696.tif 000004
【図４】
0004028696.tif 000005
【図５】
0004028696.tif 000006
【図６】
0004028696.tif 000007
【図７】
0004028696.tif 000008
【図８】
0004028696.tif 000009